(57)【要約】【課題】  日用品雑貨、建材、健康用品に接着して用いることにより、めまい、頭痛、鼻詰まり、肩こり、腰痛、関節痛、不眠といった不快な症状の発生を抑え、あるいは症状を緩和、解消することができるマイナスイオン発生紙基材、及びそれを用いた壁紙を提供。【解決手段】  常温静止状態においてもマイナスイオンを発生する鉱石粉末を主成分とする微細な鉱石粉体を、少なくとも一方の基材表面の接着層内に含有させたマイナスイオン発生紙基材であって、鉱石粉体の含有量が接着剤に対して１０重量％以下であることを特徴とするマイナスイオン発生紙基材；このマイナスイオン発生紙基材を用いてなる壁紙によって提供する。【選択図】  なし【特許請求の範囲】
【請求項１】
常温静止状態においてもマイナスイオンを発生する鉱石粉末を主成分とする微細な鉱石粉体を、少なくとも一方の基材表面の接着層内に含有させたマイナスイオン発生紙基材であって、鉱石粉体の含有量が接着剤に対して１０重量％以下であることを特徴とするマイナスイオン発生紙基材。
【請求項２】
請求項１に記載のマイナスイオン発生紙基材を用いてなる壁紙。
【発明の詳細な説明】
【技術分野】
【０００１】  本発明は、マイナスイオン発生紙基材、及びそれを用いた壁紙に関し、さらに詳しくは、めまい、頭痛、鼻詰まり、肩こり、腰痛、関節痛、不眠といった不快な症状の発生を抑え、あるいは症状を緩和、解消することができるマイナスイオン発生紙基材、及びそれを用いた壁紙に関する。
【背景技術】
【０００２】  パソコンなどのＯＡ機器に囲まれた事務室、タバコの煙が立ち込める場所、新築あるいはリフォームした室内、さらには交通渋滞しがちな道路に面した場所では、人体に様々な変調をきたすことが近年の医学的研究で明らかにされている。人体への変調とは、めまい、頭痛、鼻詰まり、肩こり、腰痛、関節痛、吐き気、不眠といった不快な症状である。【０００３】  このような人体に変調をおこす場所では、プラスイオン（プラスの電気を帯びた非常に微細な微粒子）が増加し、マイナスイオン（マイナスの電気を帯びた非常に微細な微粒子）が不足した状態にある。【０００４】  上記新築あるいはリフォームした室内では、建材に使われる接着剤からホルマリン、トルエンやキシレンなどの有機溶剤が揮発するため、換気が不十分な場合、涙が出たり、咳やくしゃみが止まらないといった症状に始まり、重症になると皮膚が荒れたり神経面でも障害が発生する。これは、シックハウス症候群といわれ、近年その対策が叫ばれている。【０００５】  一方、交通渋滞しがちな道路に面した場所では、さらに深刻で、自動車が撒き散らす排気ガスなどによって、肺がん、気管支ぜんそく、アレルギー病など極めて深刻な病気を招くことになると警告されている。【０００６】  そのため、このような環境問題への取り組みが多方面から行われるようになり、近年になってトルマリンに代表される鉱石が注目され、日用品雑貨の材料に用いたり、新築住宅の壁紙などの建材表面にコーティングしたりする試みがなされている。【０００７】  このような壁紙の一例として、紙または不織布上に合成樹脂層と絵柄印刷層とを有する建材において、前記合成樹脂層と絵柄印刷層のいずれかにトルマリン粉末とジルコニウム化合物粉末を含有したものが提案されている（特許文献１参照）。そして、トルマリンによる空気のマイナスイオン化効果を高めることができるとしている。【０００８】  しかしながら、トルマリン自体は、マイナスイオンの発生量が６〜１２個／ｃｍ３程度と少なく、常温静止状態ではマイナスイオンを発生せず、しかも有害物質や雑菌などが付着すると、その発生量が著しく減少してしまうので所望の治療効果を得ることができない。【０００９】  マイナスイオンは、皮膚を通じて、あるいは呼吸によって人体に取り入られるが、マイナスイオンの吸収率は、皮膚から約８５％吸収され、呼吸による吸収率（約１５％）に比べて数倍高いとされている。したがって、皮膚に直接貼り付けるのでなければ、マイナスイオンが人体内の血流を促進させ、一時的にせよ気分を清々しくさせることは期待できない。【００１０】  そのため、常温静止状態でもマイナスイオンを発生する鉱石（希有元素類を含む鉱物）を合成樹脂系エマルジョン中に配合した塗料が開発され、それを壁紙などの表面に塗布することが提案されている（特許文献２参照）。これによれば、呼吸によってマイナスイオンを自然な状態で無理なく人体に取り込むことができるものと期待される。【００１１】  ところが、この特許では、壁紙を既設の壁や天井に施工することを目的としているため、シリコーン樹脂、スチレンアクリル共重合体、アクリル樹脂などの合成樹脂系のエマルジョンを主成分とする材料のなかに鉱物粉末を添���し、分散させている。こうして壁紙の表面から発生したマイナスイオンを室内に放出させているが、このような塗料は、必ずしも鉱物粉末を十分に分散できないし、施工が難しく熟練工でなければ壁紙の表面に均一に塗布できなかった。また、紙の外表面に塗布するため、汚れやすく、鉱石の性能が低下しがちであった。【００１２】  このような状況にあって、前記のような人体への不快な症状を予防し、あるいは効果的に解消できる紙基材、それを用いた施工性がよい壁紙の出現が切望されていた。
【特許文献１】特開２００２−３４８７８５号公報
【特許文献２】特開２００２−１２８２７号公報
【発明の開示】
【発明が解決しようとする課題】
【００１３】  本発明の目的は、前述した従来技術の問題点に鑑み、めまい、頭痛、鼻詰まり、肩こり、腰痛、関節痛、不眠といった不快な症状の発生を抑え、あるいは症状を緩和、解消することができるマイナスイオン発生紙基材、及びそれを用いた壁紙を提供することにある。
【課題を解決するための手段】
【００１４】  本発明者は、上記問題点を解決するために鋭意研究を重ね、モナズ石に代表されるマイナスイオン発生鉱石の粉末は、トルマリンよりも格段にマイナスイオンの発生量が多く、常温静止状態においてもマイナスイオンを発生し、有害物質や雑菌などが付着しても、その発生量が低減しにくいことに着目し、紙に付着される接着剤中にマイナスイオン発生鉱石の粉体を特定量混入すれば、日用品雑貨の材料として有用なものとなり、特にニーズが高い壁紙として用いたところ、めまい、頭痛、鼻詰まり、肩こり、イライラ、不眠といった不快な症状を効果的に緩和、あるいは解消できることを確認して、本発明を完成した。【００１５】  すなわち、本発明の第１の発明によれば、常温静止状態においてもマイナスイオンを発生する鉱石粉末を主成分とする微細な鉱石粉体を、少なくとも一方の基材表面の接着層内に含有させたマイナスイオン発生紙基材であって、鉱石粉体の含有量が接着剤に対して１０重量％以下であることを特徴とするマイナスイオン発生紙基材が提供される。【００１６】  一方、本発明の第２の発明によれば、第１の発明のマイナスイオン発生紙基材を用いてなる壁紙が提供される。
【発明の効果】
【００１７】  本発明は、常温静止状態においてもマイナスイオンを発生する微細な鉱石粉体を接着剤中に配合した紙基材であるために、各種日用品雑貨などの素材として手軽に使用できるだけでなく、人体に悪影響をもたらすプラスイオンをより効果的にマイナスイオンに変換でき、人体内の血流を促進させ、めまい、頭痛、鼻詰まり、肩こり、腰痛、関節痛、不眠といった不快な症状を予防でき、症状を緩和、解消することができる。
かかる紙基材を用いた壁紙は、新築、リフォームを問わず、マンションや戸建住宅に容易に施工できることから、工業的価値はきわめて大きい。
【発明を実施するための最良の形態】
【００１８】  以下に、本発明のマイナスイオン発生紙基材、それを用いた壁紙を図面に基づいて詳細に説明する。【００１９】１．マイナスイオン発生紙基材
図１は、微細なマイナスイオン発生鉱石粉体を含む接着剤（３）を、ベース（単に基材ともいう）となる紙（２）に塗布した本発明の紙基材（１）を示しており、図２は、その縦断面を示している。その特徴部分である微細な鉱石粉体は、所定の濃度で接着剤（３）のなかに分散しており、この図では、接着剤層が二層になって紙（２）上へ被着されていることを示している。【００２０】  紙（２）としては、プラスイオンを発生しないセルロース系天然繊維からなる紙であれば、コウゾやミツマタを原料とする和紙、パルプを原料とした洋紙、あるいはケナフのような非木材を原料としたものでもよいが、これに限定されるわけではない。塩ビ、アクリル系樹脂、ポリアミド、ポリエステル等の合成繊維の編織物や不織布であってもよい。【００２１】  紙（２）の厚さは、特に限定されないが１０〜８００μｍ、好ましくは２０〜５００μｍ、さらに好ましくは３０〜３００μｍとする。厚さが１０μｍ未満では、強度が不足し接着剤を塗布しにくい。一方、８００μｍを越えると、マイナスイオンを吸収して効果が低下するだけでなく、加工しにくくなるので好ましくない。【００２２】  また、紙（２）の寸法も特に限定されず、用途に応じて様々なサイズのものを使用でき、市販のＢ５版以上Ａ３版用紙以下（一辺が２０〜４０ｃｍ）のものをはじめ、縦横の長さが１０〜２００ｃｍ程度のものを使用することができる。ただし、塗布効率や取り扱い性を考慮すれば、市販の壁紙程度のサイズを選択することが好ましい。【００２３】  接着剤（３）は、バインダー樹脂の機能を有し、この分野で使用されているものであれば、特に制限されない。天然のもの、合成のもの、あるいは両者を混合したものでも用いることができる。天然のものであれば、アミロース系のでんぷん、天然ゴムなど、また、合成のものであれば、酢酸ビニル、エチレン−酢酸ビニル、ＰＶＡ（ポリビニルアルコール）、ネオプレン、アクリロニトリル−ブタジエン、スチレン−ブタジエン、これらに類似のエラストマーなどを使用することができる。【００２４】  最近、接着剤の分野でも、構成成分をカプセルに閉じ込めたタイプのマイクロカプセル型の材料が出現している。これを用いれば、使用する際に熱、光や衝撃を与えることでカプセルを破壊して接着できるから、紙基材を長期間保存でき使い勝手も改善される。【００２５】  接着剤（３）は、マイナスイオン発生鉱石の微粉末から放出されるマイナスイオンの効果を阻害しないものでなければならない。上記のほかに、本発明の目的を阻害しない範囲で、アクリル樹脂、ウレタン樹脂、エポキシ樹脂、や塩化ビニル樹脂系の材料を併用することができる。これらは、静電気への帯電性の程度によって制限されるものではない。【００２６】  本発明において、好ましいのは、でんぷん系のものであり、それは、安価で入手しやすいだけでなく、乾燥待ち時間が長く、刷毛さばき等の作業性が良いためである。さらに重要なことは、本発明のマイナスイオン発生鉱石の微粉末との相性がよく、分散性が良好で接着力を低下させない利点があるためである。【００２７】  でんぷん系接着剤は、主原料である、でんぷんに水を加え、加熱して糊化させる方法（熱糊法）により得られるものと���アルカリ類を加えて、でんぷんを溶解して糊化させる方法（冷糊法）により得られるものがあるが、いずれを用いても良い。【００２８】  これらの接着剤は、（株）大力、常盤化学工業（株）、矢沢化学工業（株）などで製造され、ヤヨイ化学工業（株）、極東産機（株）、大和食品（株）、大阪製糊（株）、（有）マツウラ、広島化学工業（株）などから市販されている。【００２９】  でんぷん系接着剤の製造段階において、熱糊法の場合は、防ばい剤、硼酸など、冷糊法の場合は、アルカリ類が添加されるが、これらとともにマイナスイオン鉱石の微粉末を添加しても良い。その際、でんぷんへの分散性を高め接着性を維持させるため、微粉末は接着剤全体の１０重量％以下にしなければならない。また、安息香酸ナトリウムなどの保存剤（防腐剤、安定剤）、香料などを必要に応じて添加することができる。【００３０】  接着剤（３）に分散されるマイナスイオン発生鉱石粉体は、トルマリンよりも多量のマイナスイオンを発生する鉱石であって、しかも、人体への悪影響の少ない鉱石であれば特に限定されない。したがって、マイナスイオン発生鉱石としては、モナズ石、バストネス石、サマルスキー石、トリウム石、フェルグソン石、カルノー石、トロゴム石、ゼノタイム等の鉱石が挙げられる。【００３１】  例えば、モナズ石やバストネス石は、常温静止状態においてもマイナスイオンを発生し、その発生量がトルマリンよりも格段に多く、有害物質や雑菌などが付着しても、マイナスイオンの発生量が低減しにくいことから、本発明にとって最も好ましい鉱石である。【００３２】  一説によると３００種類ものモナズ石が存在するといわれ、モナズ石の組成成分は、産出される場所等によって組成成分が大幅に変動するものの、一般的には、ＣｅＯ２（２０〜３５重量％）、Ｐ２Ｏ５（１５〜２５重量％）、Ｌａ２Ｏ３（１０〜１５重量％）、Ｎｄ２Ｏ３（５〜１３重量％）、ＴｈＯ２（３〜９重量％）、Ａｌ２Ｏ３（２〜５重量％）、Ｇｄ２Ｏ３（２〜５重量％）、ＳｉＯ２（２〜５重量％）が主成分を占めている。【００３３】  モナズ石は、このほかに、それぞれ１重量％程度のＦｅ２Ｏ３、ＭｇＯ、Ｎａ２Ｏ、Ｔｉ２Ｏ３、Ｂ２Ｏ３、ＣａＯ、Ｋ２Ｏ３、Ｌｉ２Ｏ、Ｙ２Ｏ３、Ｆ、ＺｒＯ２を含み、さらに微少成分として、それぞれ１重量％未満のＭｎＯ、ＰｂＯ、ＺｎＯ、Ｄｙ２Ｏ３、ＳｎＯ２、Ｕ３Ｏ８などを含有している。これら成分のうち希土類元素（放射性稀有元素）は、いずれもウラン系もしくはトリウム系の半減期の長いものである。【００３４】  また、バストネス石は、主にアメリカ合衆国、中国等のカーボナイト鉱床から、チタン、錫、ウラン、トリウム等を採掘した際の副産物として得られるものであり、ＣｅＯ２（２０〜５５重量％）、Ｌａ２Ｏ３（２０〜４０重量％）、Ｆｅ２Ｏ３（８〜１５重量％）などを主成分としている。【００３５】  なお、本発明においては、マイナスイオン発生鉱石粉体を主成分とし、他の鉱石などを含有する必要はないが、マイナスイオン発生量を調整し、あるいは接着剤への分散性、安定性などを制御するためなど、必要であれば、サンゴを微粉砕した粉末などを少量混入しても良い。【００３６】  鉱石粉体は、微粉末にした方が表面積を���きくすることができ、加えてマイナスイオンや放射線の鉱石内吸収も少なくなるので好ましい。例えば粉末の平均粒径が０．１〜８μｍ、特に０．１〜５μｍであることが好ましい。平均粒径が８μｍよりも大きいと、紙への均一な厚さの塗布が困難となり、かつ基材から脱着しやすくなるとともに、粉砕コストが大きくなるので、平均粒径が０．１μｍよりも小さいものは経済的ではない。【００３７】  図１では、鉱石粉体を含む接着剤層（３）が長方形であるものを例示したが、その形状は、四角形（正方形、長方形、ひし形）に限定されず、三角形、五角形、六角形、円形（楕円含む）など、いかなる形状であってもよい。また、その面積も様々なものを用意することができる。紙の片面だけに塗布しても良いし、両面に塗布しても良い。【００３８】  接着剤層（３）中の鉱石粉体は、マイナスイオンの発生量が３０個／ｃｍ３以上、好ましくは３０〜５０００個／ｃｍ３、さらに好ましくは５０〜３０００個／ｃｍ３になるように、鉱石粉体の種類を選択する必要がある。マイナスイオンの発生量が３０個／ｃｍ３未満でも、不快な症状を予防し緩和する効果が全く得られないわけではないが、症状を解消するには時間がかかる。なお、本発明において、マイナスイオンの発生量は、市販のイオン計測器で測定され、その検出表示が安定する２０秒後の数値を示すものとする。【００３９】  鉱石粉体の含有量は、接着剤に対して１０重量％以下でなければならない。１０重量％を超えると、接着力が低下するので好ましくない。ただし、１重量％以下ではマイナスイオン発生量が少なすぎて、健康効果を得ることが難しくなる。本発明において好ましい鉱石粉体の含有量は、接着剤に対して１〜８重量％、さらには１〜５重量％である。【００４０】  鉱石粉体を含む接着剤層（３）と反対側になる紙面には、その表面を覆うように防水性のコーティング層を設けても良い。これにより、紙表面が汚れたり黴がついたりすることを防止することが可能となる。ただし、コーティング層の材料としては、マイナスイオンの発生を阻害するものを避けることが望ましい。すなわち、コーティング材としては、比較的薄くても被覆効果が良好なフッ素系あるいはシリコーン系の化合物などが好ましい。【００４１】  紙（２）の接着剤（３）上には剥離紙をのせることができる。このような形態とすれば、保管しやすく、持ち運びができ、特別な技術がなくとも施工することができる。剥離紙は、パラフィン紙などのように表面が平滑な材料が使用でき、紙基材（１）がずれにくく、使用時に容易に剥がせるような材料であれば特に限定されない。【００４２】  本発明のマイナスイオン発生紙基材は、加工紙、襖紙、障子紙、壁紙のように紙単独として用いることができることはもちろんのこと、接着剤層を形成しているため、各種の日用品雑貨、健康用品、それらの材料などの表面に容易に接着することができる。【００４３】  日用品雑貨としては、紙を主な構成要素とするランプの笠（シェード）、靴（靴底、中敷）などにも好ましく使用できる。紙上の鉱石粉体を含有する接着剤層をネット、脱脂綿などに接着すれば、肩パッドとしても活用できる。紙基材の接着面をポリウレタンに載せれば基材シートに伸縮性をもたせることも可能となる。【００４４】  また、本発明の紙基材を適用できる健康用品としては、ぬいぐるみ人形、枕（抱き枕）、Ｔシャツなどの衣服、お守り、アクセサリー（携帯ストラップ、ネックレス、ブレスレット）などを挙げることができる。【００４５】２．マイナスイオン発生紙基材の製造
本発明のマイナスイオン発生紙基材を製造するには、様々な方法があり特に限定されるものではない。例えば、（イ）ベースとなる紙、接着剤（バインダー樹脂）、マイナスイオン発生鉱石、溶剤などを用意し、（ロ）マイナスイオン発生鉱石を溶剤に溶かし、接着剤とを混合し、（ハ）得られた接着剤を紙に塗布して製造される。【００４６】  （イ）材料の用意
ベースとなる紙、接着剤、およびマイナスイオン発生鉱石は、前記したものを用いればよく、鉱石粉末を溶解する溶剤としては、水のほかに、従来から知られているバインダー樹脂用の有機溶剤（トルエンなど）を用いることができる。鉱石粉末を樹脂バインダー中に均一に混合させるためには、各種のアニオン系、カチオン系、両性、非イオン系界面活性剤を用いることもできる。【００４７】  （ロ）接着剤組成物の形成
紙に鉱石粉体を含む接着剤組成物を形成するには、先ず鉱石粉末を溶剤に溶解し、接着剤成分であるバインダー樹脂と均一に混合して、塗布用接着剤（塗料）を調製する。この際、顔料や肌触りや耐久性などを改善するために各種充填材を混合しても良いが、接着力を低下させない程度の添加量に止めなければならない。【００４８】  （ハ）接着剤の塗布
次に、マイナスイオン発生鉱石の微粉末を含む接着剤を紙に塗布し、被着させる。塗布方法としては、例えば、フローティングナイフコーティング法、ナイフオンロールコーティング法、ロールオンロールコーティング法、キスロールコーティング法等のコーティング法を採用することも可能である。【００４９】  これらの方法で接着剤を塗布するには、手作業（刷毛やロールを用いた手塗り）でも良いが、全自動の塗布装置や半自動の塗布装置を用いてもよい。手作業では、能率が悪く、職人によって個人差が生じやすいが接着剤を最後まで使い切ることができる。全自動の塗布装置によれば、能率が上がるが接着剤タンク内に残留ロスが発生しやすい。【００５０】  塗布によって形成する接着剤層の厚さは、紙と同程度以下、すなわち５〜３００μｍ、好ましくは１０〜１００μｍ、さらに好ましくは２０〜８０μｍの厚さになるように塗布方法、装置の種類を選択する。厚さが５μｍ未満では接着力が不足し、３００μｍを超えても接着力が向上せず、逆に接着力を低下させる場合がある。【００５１】  所望の接着層（厚さ）が一度に得られない場合は、数回に分けて重ねて塗布してもよい。このとき、接着剤層への鉱石粉体の濃度を適宜変えることができる。すなわち、紙と接する第一層の粉体濃度を比較的高めにし、第二層以降、紙から離れるほど粉体濃度を薄くすることができる。このようにすれば、紙基材からのマイナスイオン発生量をあまり低下させることなく、しかも十分な接着力を持たせることが可能となる。図２は、このような接着剤を２層にした紙基材の断面を示している。【００５２】  この場合のマイナスイオン発生鉱石の粉体濃度は、接着剤層の厚さ、紙の種類、用途などによっても異なるので一概にはいえないが、例えば、第一層で１０〜５０重量％、第二層で３〜２０重量％とすることが好ましい。ただし、全体の接着剤層は粉体濃度が１０重量％以下になるようにする。【００５３】  接着剤を紙全面に塗布しても良いし（壁紙では通常そのように施工される）、用途によっては紙の一部分に塗布しても良い。後者の場合、図１のように、紙の前後左右に１〜１０ｍｍの余白を設けることができる。【００５４】  マイナスイオン発生鉱石の微粉末を含んだ接着剤（塗料）は、紙上に層状となるように塗布すれば本発明の紙基材が完成する。その後、接着剤が乾燥してしまわないうちに剥離紙を被せることもできる。【００５５】  接着剤が乾燥しやすい温度は、用いたバインダー樹脂、溶剤の種類によって異なるが、通常、２０〜５０℃の間である。したがって、塗布作業は、室温より低い比較的湿度が高い雰囲気中で短時間のうちに行うことが望ましい。【００５６】  ３．壁紙
本発明の紙基材の特に好ましい用途は、建材として住宅の壁や天井の表面に貼着する壁紙である。壁紙には、紙壁紙、織物壁紙、ビニル壁紙、化繊壁紙、無機質壁紙などの種類がある。【００５７】  本発明は、無機質壁紙以外の大半のものに適用でき、紙壁紙、織物壁紙、ビニル壁紙で効果が期待できる。紙壁紙は、前記した紙をベースとしたもの、織物壁紙は、平織、綾織、朱子織、不織布の材料や植毛を用いたもので、ビニル壁紙には、エンボス無地系、プリント・エンボス系、シルクスクリーン系、発砲系、ケミカル発砲などの種類が知られている。無機質壁紙は、水酸化アルミ紙、ガラス繊維、金属箔・蒸着フィルムなどをベースとしており、緻密であり、マイナスイオン発生鉱石の効果を発揮しにくいため好ましくない。【００５８】  部屋の用途や環境などによって、必要とされるマイナスイオン発生量があるので、それに応じて鉱石粉末の量が最適な紙基材を選択することが望ましい。すなわち、プラスイオンの発生が多いＯＡ機器が設置されているか、応接の喫煙により空気が汚れやすい部屋、交通量が多い窓側に面した部屋には、マイナスイオンの発生量が多い壁紙を施工することが望ましい。例えば、マイナスイオンの発生量は、５００個／ｃｍ３以上、例えば、５００〜２０００個／ｃｍ３とすることが望ましい。【００５９】  また、壁紙の寸法は、ＪＩＳでは、最小有効幅が５２ｃｍおよび９２ｃｍとされている。本発明においては、これに限定されず、用途や部屋の広さなどに応じて様々なサイズのものを使用できる。ただし、塗布効率や取り扱い性を考慮すれば、市販の壁紙程度のサイズを選択することが好ましい。装入（貼着）する場所の面積が小さい場合や複雑な形状である場合は、適宜必要な寸法、形状に切断して用いることができる。【００６０】  面積の大きな紙基材を採用すれば、多量の鉱石粉末が担持されているため、広範囲にマイナスイオンを作用させることができ健康効果も向上する。一方、面積の小さい紙基材を採用すれば、少量の鉱石粉末しか担持されていないが、狭い箇所や複雑な部分への貼着が可能となる。通常は、紙基材をそのまま用いることが取り扱い上、好ましいが狭い箇所などであれば、適切な大きさに切断して使えばよい。【００６１】  施工箇所は、マイナスイオンを必要とする場所であれば特に限定されない。施工に際しては、建材の表面から異物、汚れなどを取り除き清浄化するとともに、凹凸部分をなくす下地調整をしておくことが望ましい。下地調整の具体的条件、手順は、建材の種類によって異なる。すなわち、建材が合板、石膏ボード、石綿スレート板、ＰＣ板、ＡＬＣ板、金属板、プラスチックオーバーレイ合板、ペンキ塗装面のいずれであるかを確認して、種類に応じた最適な条件を採用する。【００６２】  紙基材は一箇所につき一枚だけ使用（貼着）すればよいが、特に大きなマイナスイオン効果を期待する箇所には、二枚以上を重ねて使用（貼着）することもできる。場合によっては、部屋の模様替えを考えて、取り外し可能な比較的接着力の弱い紙基材を意図的に使用（貼着）することができる。【００６３】  前記特許文献１では、トルマリン粉末を混入した塗料を塗布した紙基材が壁紙として使用されるが、トルマリン鉱石は、常���静止状態ではマイナスイオンの発生量が少ないので、接着剤の中に充填物として用いると、発生するマイナスイオンの量が極めて少ない量になってしまう。【００６４】  なお、前記した無機質壁紙のうち、蛭石など無機質粉末を裏打紙に吹き付けたものは、一見すると本発明と類似している。しかし、このような無機質壁紙は、蛭石など無機質粉末の粒径が比較的大きく、しかも防火（難燃性）を意図しているため多量の無機質粉末（全体の９０重量％以上）を用いており、これを接着剤側にすることは不可能である。【００６５】  本発明においては、紙基材を新築住宅の部屋に壁紙として使用（貼着）する場合を主に意図しているが、既設の壁紙表面上に貼り付けて、外観に特徴をもたせてもよい。例えば、部屋のアクセントとして所望の形状にした紙基材を壁紙の上から貼り付けても良い。この場合は、別途、シール印刷で作成された紙基材（マイナスイオン発生鉱石のみを紙に薄く印刷したもの）を用いることもできる。【００６６】  本発明の壁紙が施工された部屋では、通常に生活することができ、無意識のうちに室内に充満したマイナスイオンの効果により心がいやされ、前記の症状を解消することができる。もちろん、壁紙に近接する位置で運動したりして深呼吸することにより、その効果を一層高めることも可能である。【００６７】  壁紙が汚れた場合、汚れの原因物質にもよるが、防水コーティングを施したものであれば汚れた表面部分だけを軽くふき取る事も可能である。本発明者が、水で軽く汚れをふき取った後のマイナスイオン発生量を計測したところ、以前より発生量が減少せず逆に若干増加することを確認している。【００６８】  ４．健康用品
本発明の紙基材は、各種健康用品にも有効に適用でき、その一例として、ぬいぐるみ人形に用いた場合を簡単に説明する。【００６９】  通常、ぬいぐるみ人形を作製するには、人形の外皮となる数枚の布（タオル、不織布、その他の布状物）を用意する。それを所定の大きさ、形状に裁断し、布同士を袋状に縫い合わせて、各部分の外皮となるようにする。こうして小袋状とされた部品を１個ないし複数個使用して、頭、胴体、手足、しっぽなどの各部分が形成される。そして、外皮となる袋の中に多量の充填材料（綿、布切れ、ガーゼ、スポンジ、ビーズ等の充填物）が充填され、縫い合わされて人形本体の各部分が出来上がる。最後に、人形本体の各部分が所定の場所に配置、結合されて、所望の形態をしたぬいぐるみ人形が完成する。【００７０】  ぬいぐるみ人形の場合、紙が皮膚に直接触れることもあるので、紙の材料は、腫れ、カブレ、湿疹などを生じない材質を選択する。また、紙に微小な通気孔を透設することもできる。ただし、本発明の紙基材は、マイナスイオン発生鉱石が紙の接着剤層に含有され、外部に露出していないので、皮膚と直接接触することはない。【００７１】  充填物を袋（外形を構成する布）に装入する前に、袋の内側に紙基材を貼着するか、袋の内側に装入すればよい。充填物の布に貼着するか、充填の際に紙基材を一緒に装入してもよい。接着剤付の紙基材を用いるため、予め袋または充填物の表面に貼り付けておけば、ぬいぐるみ人形の形状を整えやすく、作業能率が上がるという利点がある。【００７２】  紙基材は、ぬいぐるみ人形の大きさ、貼着する場所などによって、最適な大きさ（寸法）のものを選択する。貼着する場所の面積が小さい場合や複雑な形状である場合は、適宜必要な寸法、形状に切断して用いることができる。【００７３】  面積の大きな紙基材を採用すれば、多量の鉱石粉末が担持されているため、広範囲にマイナスイオンを作用させることができ治療効果も向上する。一方、面積の小さい紙基材を採用すれば、少量の鉱石粉末しか担持されていないが、小さな部品や複雑な部分への装入（貼着）が可能となる。通常は、直径（一辺）が１０〜８０ｍｍ、特に２０〜５０ｍｍに切断した紙基材を用いることが取り扱い上、好ましい。また、大きなぬいぐるみ人形であれば、切断せずにそのまま使えばよい。【００７４】  接着箇所は、ぬいぐるみ本体（部分）を構成し、その形状を決定付ける袋（布）の内側が好ましいが、外側であってもよい。内側とは袋と充填物との間隙、布が二枚以上で構成されている場合は、その内部、あるいは充填物の内部である。紙基材は一枚だけ装入（貼着）すればよいが、特に大きなマイナスイオン効果を期待する箇所には二枚以上を重ねて装入（貼着）することもできる。【００７５】  ぬいぐるみの本体（部分）の袋内に装入（貼着）する場合は、布袋（外皮）の外表面上に縫い付けて、外観に特徴をもたせることができる。例えば、布生地からなる円形の目玉の付着物を紙基材によって作製し、これをぬいぐるみ人形の外皮の外表面上に設けても良い。【００７６】  これまでにトルマリン鉱石を混入した充填物収納袋を、外皮の袋に充填して製作されたぬいぐるみ人形が知られている。ところが、トルマリン鉱石は、常��静止状態ではマイナスイオンの発生量が少ないので、このように充填物やその収納袋で覆われると、ぬいぐるみ人形の外側では極めて少ないマイナスイオン量になってしまう。したがって、子供やお年寄り、妊娠中や授乳中の主婦などにはマイルドなので良いかもしれないが、前記肩こりや頭痛などの諸症状に悩む学生や若者を含むすべての者の体調維持に活用できるものとはならない。【００７７】  なお、本発明のマイナスイオン発生紙基材を用いるとともに、その原料である鉱石粉末の粉末を外皮と充填物の間隙に充填することもできる。これにより、皺や弛みをなくし、流動性と変形の柔軟性を具備させ、人がぬいぐるみ人形に触れたり抱いたりしたときに違和感を与えないようにすることができる。【００７８】  ぬいぐるみ人形を近くに置いて眺めたり、胸に抱いたり手に触れることにより心がいやされ、前記の症状が解消される。ぬいぐるみ人形としては、その形状は限定されず、犬、猫、熊、狸、馬、カバ、キリン、ライオン、クジラ、イルカ、ラッコなどの動物、あひる、鳩、ペンギンなどの鳥類といった各種動植物、さらには、テレビアニメ人形、キャラクター人形や、自動車、電車、飛行機など乗り物の形態とすることができる。【００７９】  ぬいぐるみ人形が汚れた場合、汚れた外皮（布）の表面部分だけを手洗いしてもよいし、丸ごと洗濯機にいれて洗う事も可能である。本発明者が、洗濯後のマイナスイオン発生量を計測したところ、意外にも以前より減少するどころか、逆に若干増加することを確認している。【００８０】  以上、健康用品として、ぬいぐるみ人形を例示したが、枕（抱き枕）、Ｔシャツなどの衣服、お守り、アクセサリー（携帯ストラップ、ネックレス、ブレスレット）であっても同様にして本発明の紙基材を適用することができる。【００８１】  本発明のマイナスイオン発生紙基材、それを用いた壁紙、ぬいぐるみ人形などの健康用品を利用することで、前記症状の緩和、解消のほか、疲労回復と安眠などに大きな効果を期待できる。このような効果が長期間持続すれば、やがて間接的効果として、便通の正常化、創傷及び潰瘍の修復作用・肉芽形成の促進、造血作用、胃腸に対する作用、強壮作用を向上することが可能となる。
【実施例】
【００８２】  以下、本発明の実施例について説明するが、本発明はこれらの実施例に限定されるものではない。【００８３】（実施例１）
モナズ石の鉱石粉末（平均粒径０．３μｍ）を接着剤に対して５重量％の濃度となるように溶剤（水）に配合してから、接着剤と混合し、攪拌機を用いて、室温で均一に攪拌し、接着剤（接着剤Ａという）を調製した。接着剤としては、でんぷん系天然接着剤（ヤヨイ化学工業製、商品名「アミノール」）を用いた。
次に、和紙（５０ｃｍ×１００ｃｍ）の表面に、この接着剤を平均５００μｍの厚さになるように略均一に塗布して、本発明のマイナスイオン発生紙基材を作製した。
接着剤層とは反対側に、ＥＣＯ−ＨＯＬＩＳＴＩＣ  ＩＮＣ製の計測器「イオンテスター」を置き、マイナスイオンを測定すると、検出表示が安定する２０秒後に１１００個／ｃｍ３のマイナスイオンが検出された。
この紙基材を壁紙として、厚さ１ｃｍの合板（８０ｃｍ×２００ｃｍ）に貼り付けた。なお、合板は予めサンダーで表面を荒らしたあと、シーラーで吸水性を調整しておいた。施工性は良好で、しわがよることなく、容易に貼り付けることができた。接着力も十分で６ヶ月経過後の端部からの剥れなどは生じなかった。【００８４】（比較例１）
モナズ石の鉱石粉末（平均粒径１μｍ）を接着剤に対して１５重量％の濃度となるように含有させて、接着剤（接着剤Ｃという）を調製した以外は実施例１と同様にして比較用のマイナスイオン発生紙基材を作製した。
剥離紙とは反対側に、ＥＣＯ−ＨＯＬＩＳＴＩＣ  ＩＮＣ製の計測器「イオンテスター」を置き、マイナスイオンを測定すると、検出表示が安定する２０秒後に２４００個／ｃｍ３のマイナスイオンが検出された。
この紙基材を壁紙として、厚さ１ｃｍの合板（８０ｃｍ×２００ｃｍ）に貼り付けた。なお、合板は予めサンダーで表面を荒らしたあと、シーラーで吸水性を調整しておいた。施工性はほぼ良好で、しわがよることなく貼り付けることができた。ところが、接着力が不十分で５ヶ月経過後、端部に剥れが生じた。【００８５】（比較例２）
粘着剤が付いた和紙製の壁紙（５０ｃｍ×１００ｃｍ）を用意し、粘着剤と反対側の表面にモナズ鉱石粉末（平均粒径１０μｍ）を１２重量％含有する接着剤層を１５０ｇ／ｍ２塗布して、比較用の紙基材を調製した。なお、接着剤として、特許文献２に記載されたシリコーン樹脂エマルジョン（ＳＥ−１９８０、東レダウシリコーン社製）を使用した。
次に、接着剤が乾燥したのを待って、この紙基材の粘着剤が付いた側を厚さ１ｃｍの合板（８０ｃｍ×２００ｃｍ）に貼り付けた。施工性、接着力は良好であったが、１ヶ月経過後に表面の汚れが目立ち始めた。
ＥＣＯ−ＨＯＬＩＳＴＩＣ  ＩＮＣ製の計測器「イオンテスター」を置き、マイナスイオンを測定すると、検出表示が安定する２０秒後に９００個／ｃｍ３のマイナスイオンが検出された。マイナスイオン発生量は当初の５０％に低下していた。【００８６】（実施例２）
モナズ石の鉱石粉末（平均粒径０．３μｍ）を接着剤に対して５０重量％の濃度となるように計量し、溶剤（水）を４０℃に加熱しながら、十分に分散させ、攪拌機で激しく撹拌して均一に攪拌し、接着剤（接着剤Ｂという）を調製した。接着剤としては、でんぷん系天然接着剤（ヤヨイ化学工業製、商品名「アミノール」）を用いた。
次に、和紙（５０ｃｍ×１００ｃｍ）の表面に、この接着剤を１０μｍ以下の厚さになるように噴霧して第一層を形成した。その後、第一層が乾燥したのを確認してから、実施例１と同じ接着剤Ａを平均３００μｍの厚さになるように略均一に塗布して第二層を形成することにより、本発明のマイナスイオン発生紙基材を作製した。
剥離紙とは反対側に、ＥＣＯ−ＨＯＬＩＳＴＩＣ  ＩＮＣ製の計測器「イオンテスター」を置き、マイナスイオンを測定すると、検出表示が安定する２０秒後に１０５０個／ｃｍ３のマイナスイオンが検出された。
この紙基材を壁紙として、厚さ１ｃｍの合板（８０ｃｍ×２００ｃｍ）に貼り付けた。なお、合板は予めサンダーで表面を荒らしたあと、シーラーで吸水性を調整しておいた。施工性は良好で、しわがよることなく、容易に貼り付けることができた。接着力も十分で６ヶ月経過後の端部からの剥れなどは生じなかった。端部の接着状態は非常に良好で、市販の壁紙と比べても全く遜色のないことが確認された。【００８７】（実施例３）
実施例１で作製した紙基材を、１０ｃｍ四方の略正方形となるようにカットし、５０枚のシートを用意した。
次に、これをぬいぐるみ人形の外皮（内側の布）と充填物に合計１０枚接着した。なお、外皮の布として、綿４０％、ポリエステル６０％の割合からなるタオル生地を使用し、充填物となる綿部としては、ポリエステルファイバーを使用した。
ぬいぐるみ人形の頭部分のマイナスイオンをＥＣＯ−ＨＯＬＩＳＴＩＣ  ＩＮＣ製の計測器「イオンテスター」で測定すると、検出表示が安定する２０秒後に８００個／ｃｍ３のマイナスイオンが検出された。
こうして得られたぬいぐるみ人形をパソコンの近くに置いた。毎日平均３時間パソコンで事務作業をした。徐々に効果が出始めて、三ヶ月後には慢性的な肩こりが解消した。前記と同様にマイナスイオンを測定すると、検出表示が安定する２０秒後に７１０個／ｃｍ３のマイナスイオンが検出された。
【産業上の利用可能性】
【００８８】  本発明のマイナスイオン発生紙基材は、各種日用品雑貨、ぬいぐるみ人形などの健康用品として有用であり、健康用品の素材に貼り付けて身の回りに置けば、疲労回復と安眠、病中病後の食欲の増進、体力の回復、消炎作用、抹消血管拡張作用、鎮痛作用（腰痛・頭痛・肩こり・関節痛・神経痛・五十肩の治療）、抗リウマチ作用、抹消神経に対する作用、血圧調整効果、美容効果（肌の艶と血色）を得ることができる。また、これを用いた壁紙は、新建材の使用で問題になっていたシックハウス症候群を抑制することができる。したがって、本発明は特に建材分野や健康産業において大きな利用価値がある。
【図面の簡単な説明】
【００８９】
【図１】本発明のマイナスイオン発生紙基材の平面図である。
【図２】図１に示したマイナスイオン発生紙基材の縦断面図である。
【符号の説明】
【００９０】１  紙基材
２  紙（ベース）
３  鉱石粉末を含んだ接着剤層
【図１】
2005299061.tif 000002
【図２】
2005299061.tif 000003